(57)【要約】  本発明の実施例は、ドップラーシフトによる通信速度への影響を減少するために、信号復調方法および装置を提供する。基地局から送信され、受信した無線周波数信号に対して復調する場合、ＰＭＵから提供される基準クロック信号を取得した後、さらに、モバイル端末の移動速度を特定し、移動速度に基づいてモバイル端末が基地局から送信された無線周波数信号を受信する時に発生するドップラーシフト値を特定する必要があり、再び、基準クロック信号およびドップラーシフト値に基づいて、基地局から送信され、受信した無線周波数信号に対して復調する。基地局から送信された無線周波数信号に対して復調する場合、ドップラーシフトの影響を考慮したため、復調の精度が高くなる。これにより、ドップラーシフトが存在する場合、通信速度が遅いという問題を回避する。【選択図】図２
2016504818.tif 000002
【特許請求の範囲】
【請求項１】
モバイル端末内の電源管理ユニットＰＭＵから提供される基準クロック信号を取得するステップと、
前記モバイル端末の移動速度を特定し、前記移動速度に基づいて、前記モバイル端末が基地局から送信された無線周波数信号を受信する時に発生するドップラーシフト値を特定するステップと、
前記基準クロック信号および前記ドップラーシフト値に基づいて、受信した、前記基地局から送信された無線周波数信号に対して復調するステップと、含むことを特徴とする信号復調方法。
【請求項２】
前記モバイル端末の移動速度を特定し、前記移動速度に基づいて前記モバイル端末が基地局から送信された無線周波数信号を受信する時に発生するドップラーシフト値を特定するステップは、
前記モバイル端末の設定した２つの時点における速度ベクトルを、全地球測位システムＧＰＳにより特定するステップと、
前記設定した２つの時点の速度ベクトルの差の絶対値｜ΔＶ｜を特定するステップと、
前記設定した２つの時点の速度ベクトル方向の夾角αを特定するステップと、
ドップラーシフト値計算公式Ｆｄ＝｜ΔＶ｜×ｃｏｓα／λ（λは、無線電波波長である）に基づいて、前記モバイル端末が基地局から送信された無線周波数信号を受信する時に発生するドップラーシフト値Ｆｄを特定するステップと、を含むことを特徴とする請求項１に記載の方法。
【請求項３】
モバイル端末の移動速度を特定し、前記移動速度に基づいて前記モバイル端末が基地局から送信された無線周波数信号を受信する時に発生するドップラーシフト値を特定するステップは、
前記モバイル端末の設定した２つの時点における速度ベクトルを、全地球測位システムＧＰＳにより特定するステップと、
前記設定した２つの時点の速度ベクトルの差の絶対値｜ΔＶ｜を特定するステップと、
前記設定した２つの時点の速度ベクトル方向の夾角αを特定するステップと、
予め設定された｜ΔＶ｜およびαの取値範囲とドップラーシフト値とのマッピング関係から、特定した｜ΔＶ｜およびαに対応するドップラーシフト値を検索するステップと、を含むことを特徴とする請求項１に記載の方法。
【請求項４】
前記基準クロック信号および前記ドップラーシフト値に基づいて、受信した、前記基地局から送信された無線周波数信号に対して復調するステップは、
復調クロック信号を特定するように、前記基準クロック信号と前記ドップラーシフト値とを重ね合わせるステップと、
前記復調クロック信号に基づいて、受信した、前記基地局から送信された無線周波数信号に対して復調するステップと、を含むことを特徴とする請求項１に記載の方法。
【請求項５】
モバイル端末内の電源管理ユニットＰＭＵから提供される基準クロック信号を取得するための取得ユニットと、
前記モバイル端末の移動速度を特定し、前記移動速度に基づいて前記モバイル端末が基地局から送信された無線周波数信号を受信する時に発生するドップラーシフト値を特定するための特定ユニットと、
前記基準クロック信号および前記ドップラーシフト値に基づいて、受信した、前記基地局から送信された無線周波数信号に対して復調するための復調ユニットと、を備えることを特徴とする信号復調装置。
【請求項６】
前記特定ユニットは、
前記モバイル端末の設定した２つの時点における速度ベクトルを、全地球測位システムＧＰＳにより特定するための第１の特定モジュールと、
前記設定した２つの時点の速度ベクトルの差の絶対値｜ΔＶ｜を特定するための第２の特定モジュールと、
前記設定した２つの時点の速度ベクトル方向の夾角αを特定するための第３の特定モジュールと、
ドップラーシフト値計算公式Ｆｄ＝｜ΔＶ｜×ｃｏｓα／λ（λは、無線電波波長である）に基づいて、前記モバイル端末が基地局から送信された無線周波数信号を受信する時に発生するドップラーシフト値Ｆｄを特定するための第４の特定モジュールと、を備えることを特徴とする請求項５に記載の装置。
【請求項７】
前記特定ユニットは、
前記モバイル端末の設定した２つの時点における速度ベクトルを、全地球測位システムＧＰＳにより特定するための第１の特定モジュールと、
前記設定した２つの時点の速度ベクトルの差の絶対値｜ΔＶ｜を特定するための第２の特定モジュールと、
前記設定した２つの時点の速度ベクトル方向の夾角αを特定するための第３の特定モジュールと、
予め設定された｜ΔＶ｜およびαの取値範囲とドップラーシフト値とのマッピング関係から、特定した｜ΔＶ｜およびαに対応するドップラーシフト値を検索するための検索モジュールと、を備えることを特徴とする請求項５に記載の装置。
【請求項８】
前記復調ユニットは、
復調クロック信号を特定するように、前記基準クロック信号と前記ドップラーシフト値とを重ね合わせるための重ね合わせモジュールと、
前記復調クロック信号に基づいて、受信した、前記基地局から送信された無線周波数信号に対して復調するための復調モジュールと、を備えることを特徴とする請求項５に記載の装置。
【請求項９】
基準クロック信号を提供するための電源管理ユニットＰＭＵと、
モバイル端末の移動速度を特定し、前記移動速度に基づいて前記モバイル端末が基地局から送信された無線周波数信号を受信する時に発生するドップラーシフト値を特定し、前記ドップラーシフト値とＰＭＵから提供される基準クロック信号に基づいて、復調クロック信号を特定するための前記ＰＭＵと接続されているＣＡモジュールと、
基地局から送信された無線周波数信号および前記ＣＡモジュールで特定された復調クロック信号を取得し、前記復調クロック信号に基づいて、前記基地局から送信された無線周波数信号に対して復調するための前記ＣＡモジュールと接続されている受信器と、を備えることを特徴とする信号復調装置。
【請求項１０】
前記ＣＡモジュールは、前記基準クロック信号および前記ドップラーシフト値を重ね合わせるためのダイレクトデジタルシンセサイザーＤＤＳを備え、
前記ＣＡモジュールは、前記ドップラーシフト値および基準クロック信号に基づいて、復調クロック信号を特定する場合、ＤＤＳにより前記基準クロック信号と前記ドップラーシフト値とを重ね合わせて復調クロック信号を特定することを特徴とする請求項９に記載の装置。
【請求項１１】
前記ＧＰＳで取得された、移動速度を表現する無線周波数信号を、前記ＣＡモジュールとカップリングするためのカップリングモジュールであって、前記ＣＡモジュールと接続されているカップリングモジュールをさらに備えることを特徴とする請求項９に記載の装置。
【請求項１２】
基準クロック信号を提供するための電源管理ユニットＰＭＵと、
受信器で特定された移動速度に基づいて、モバイル端末が基地局から送信された無線周波数信号を受信する時に発生するドップラーシフト値を特定するための処理ユニットと、
モバイル端末の移動速度を特定し、前記基地局から送信された無線周波数信号、ＰＭＵで提供された基準クロック信号および前記処理ユニットで特定されたドップラーシフト値を取得し、前記基準クロック信号、および前記ドップラーシフト値に基づいて、前記基地局から送信された無線周波数信号に対して復調するための前記ＰＭＵおよび前記処理ユニットと接続されている受信器と、を備えることを特徴とする信号復調装置。
【請求項１３】
前記処理ユニットは、アプリプロセッサＡＰ、または中央処理装置ＣＰＵであることを特徴とする請求項１２に記載の装置。
【発明の詳細な説明】
【技術分野】
【０００１】
本発明は、モバイル端末の開発技術に関し、特に、信号復調方法および装置に関する。
【背景技術】
【０００２】
通信速度は、ずっと、ユーザーからよく注目されたものであるが、ユーザーが移動状態にある場合、ドップラー効果が存在するため、ドップラーシフトが発生することになっている。ユーザーの移動速度が速い場合、モバイル端末は、基地局から送信された信号を受信する時に、相対的に大きいドップラーシフトが存在し、即ち、受信した信号の周波数と基地局から実際に送信された信号の周波数との間の差値であるドップラーシフト値が大きいので、通信システム無線周波数復調の精度に影響し、基地局との通信データのスループット率に影響し、その結果、通信速度が遅くなってしまう。
【０００３】
広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ(登録商標)）のモバイル通信システムを例にして、モバイル端末の全地球測位システム（Ｇｌｏｂａｌ  Ｐｏｓｉｔｉｏｎｉｎｇ  Ｓｙｓｔｅｍ、ＧＰＳ）およびＷＣＤＭＡの復調装置回路図は、図１に示すものであり、ＧＰＳおよびＷＣＤＭＡの信号処理モジュールは、いずれも送受信器（ｔｒａｎｓｉｖｅｒ）により無線周波数復調の機能を提供し、且つベースバンド（ｂａｓｅｂａｎｄ）信号をベースバンドプロセッサへ送信して処理を行い、その後ベースバンドプロセッサにより、データをアプリ（ａｐｐｌｉｃａｔｉｏｎ  ｐｒｏｃｅｓｓ、ＡＰ）／中央処理装置（Ｃｅｎｔｒａｌ  Ｐｒｏｃｅｓｓｉｎｇ  Ｕｎｉｔ、ＣＰＵ）に知らせる。図１におけるｔｒａｎｓｉｖｅｒは、復調の時に１つの基準クロック信号で復調を行う必要があり、基準クロック信号は、電源管理ユニット（Ｐｏｗｅｒ  Ｍａｎａｇｅｍｅｎｔ  Ｕｎｉｔ、ＰＭＵ）から提供され、ｔｒａｎｓｉｖｅｒは、基準クロック信号に基づいてＷＣＤＭＡまたはその他の無線周波数信号に対して復調を行う。したがって、基準クロック信号の値は、ｔｒａｎｓｉｖｅｒの復調精度を決定する。復調精度が比較的高くなる場合、モバイル端末と基地局通信とのスループット率も比較的高く、通信システムの通信速度も比較的大きくなる。しかしながら、ＰＭＵから提供される基準クロック信号に基づいて無線周波数信号を復調することは、ドップラーシフトによる無線周波数復調への影響を考慮していない。移動速度が速い場合、無線周波数復調の精度が低くなり、通信速度が遅くなる。
【発明の概要】
【０００４】
本発明の実施例は、ドップラーシフトが存在する場合、通信速度が遅いという問題を解决するための、信号復調方法および装置を提供する。
【０００５】
本発明に係る実施例の第１態様は、
モバイル端末内のＰＭＵから提供される基準クロック信号を取得するステップと、
前記モバイル端末の移動速度を特定し、移動速度に基づいて前記モバイル端末が基地局から送信された無線周波数信号を受信する時に発生するドップラーシフト値を特定するステップと、
基準クロック信号およびドップラーシフト値に基づいて、基地局から送信され、受信した無線周波数信号に対して復調するステップと、
を含む、信号復調方法を提供する。
【０００６】
本発明に係る実施例の第２態様は、
モバイル端末内のＰＭＵから提供される基準クロック信号を取得するための取得ユニットと、
モバイル端末の移動速度を特定し、移動速度に基づいて前記モバイル端末が基地局から送信された無線周波数信号を受信する時に発生するドップラーシフト値を特定するための特定ユニットと、
基準クロック信号およびドップラーシフト値に基づいて、基地局から送信され、受信した無線周波数信号に対して復調するための復調ユニットと、
を備える、信号復調装置を提供する。
【０００７】
本発明に係る実施例の第３態様は、
基準クロック信号を提供するためのＰＭＵと、
モバイル端末の移動速度を特定し、移動速度に基づいて前記モバイル端末が基地局から送信された無線周波数信号を受信する時に発生するドップラーシフト値を特定し、ドップラーシフト値とＰＭＵから提供される基準クロック信号に基づいて、復調クロック信号を特定するためのＰＭＵと接続されているＣＡモジュールと、
基地局から送信された無線周波数信号およびＣＡモジュールで特定された復調クロック信号を取得し、復調クロック信号に基づいて、基地局から送信された無線周波数信号に対して復調するためのＣＡモジュールと接続されている受信器と、
を備える、信号復調装置を提供する。
【０００８】
本発明に係る実施例の第４態様は、
基準クロック信号を提供するためのＰＭＵと、
受信器で特定された移動速度に基づいて、モバイル端末が基地局から送信された無線周波数信号を受信する時に発生するドップラーシフト値を特定するための処理ユニットと、
モバイル端末の移動速度を特定し、基地局から送信された無線周波数信号、ＰＭＵで提供された基準クロック信号および処理ユニットで特定されたドップラーシフト値を取得し、基準クロック信号およびドップラーシフト値に基づいて、基地局から送信された無線周波数信号に対して復調するためのＰＭＵおよび処理ユニットと接続されている受信器と、
を備える、信号復調装置を提供する。
【０００９】
本発明に係る実施例に提供された技術案は、以下の有益な効果を有する。
【００１０】
本発明の実施例は、ドップラーシフトによる通信速度への影響を減少するために、信号復調方法および装置を提供する。基地局から送信され、受信した無線周波数信号に対して復調する場合、ＰＭＵから提供される基準クロック信号を取得した後、さらに、モバイル端末の移動速度を特定し、移動速度に基づいてモバイル端末が基地局から発射され無線周波数信号を受信する時に発生するドップラーシフト値を特定する必要があり、再び、基準クロック信号およびドップラーシフト値に基づいて、基地局から送信され、受信した無線周波数信号に対して復調する。基地局から送信された無線周波数信号に対して復調する場合、ドップラーシフトの影響を考慮したため、復調精度が高くなる。これにより、ドップラーシフトが存在する場合、変調精度が低下し、通信速度が遅いという問題を回避する。
【００１１】
上記の一般的な説明および後述の詳細な説明は、例示的かつ解釈的なものに過ぎず、本発明を限定するものではないことを理解すべきである。
【図面の簡単な説明】
【００１２】
ここで、図面は明細書に組み込んで本明細書の一部とし、本発明に合致する実施例を示すとともに、明細書とともに本発明の原理を説明する。
【図１】図１は、一例示的な実施例に係るＧＰＳおよびＷＣＤＭＡ復調装置の構成を示す模式図である。
【図２】図２は、一例示的な実施例に係る信号復調方法を示すフローチャートである。
【図３】図３は、一例示的な実施例に係るドップラーシフトの特定方法を示すフローチャートである（その一）。
【図４】図４は、一例示的な実施例に係るドップラーシフトの特定方法を示すフローチャートである（その二）。
【図５】図５は、一例示的な実施例に係る基準クロック信号およびドップラーシフト値に基づいて復調する方法を示すフローチャートである。
【図６】図６は、一例示的な実施例に係る好ましい復調方法を示すフローチャートである。
【図７】図７は、一例示的な実施例に係る信号復調装置の構成を示す模式図である（その一）。
【図８ａ】図８ａは、一例示的な実施例に係る特定ユニットの構成を示す模式図である（その一）。
【図８ｂ】図８ｂは、一例示的な実施例に係る特定ユニットの構成を示す模式図である（その二）。
【図９】図９は、一例示的な実施例に係る復調ユニットの構成を示す模式図である。
【図１０】図１０は、一例示的な実施例に係る信号復調装置の構成を示す模式図である（その二）。
【図１１】図１１は、一例示的な実施例に係る信号復調装置の構成を示す模式図である（その三）。
【発明を実施するための形態】
【００１３】
本発明の実施例は、ドップラーシフトによる通信速度への影響を減少させるために、信号復調方法および装置を提供する。基地局から送信され、受信した無線周波数信号の復調において、ＰＭＵから提供される基準クロック信号を取得した後、さらに、モバイル端末の移動速度を特定し、モバイル端末が基地局から送信された無線周波数信号を受信する時に発生するドップラーシフト値を特定する必要があり、基準クロック信号およびドップラーシフト値に基づいて、基地局から送信され、受信した無線周波数信号は復調される。ドップラーシフトの影響を考慮して、基地局から送信された無線周波数信号を復調するので、復調精度が相対的に高くなり、これにより、ドップラーシフトが存在する場合に、変調精度が低下し、通信速度が遅いという問題を回避する。
【００１４】
図２に示すように、本発明の実施例は、
Ｓ２０１：モバイル端末内のＰＭＵから提供される基準クロック信号を取得するステップと、
Ｓ２０２：モバイル端末の移動速度を特定し、移動速度に基づいてモバイル端末が基地局から送信された無線周波数信号を受信する時に発生するドップラーシフト値を特定するステップと、
Ｓ２０３：基準クロック信号およびドップラーシフト値に基づいて、基地局から送信され、受信した無線周波数信号に対して復調するステップと、
を含む、信号復調方法を提供する。
【００１５】
基地局から送信され、受信した無線周波数信号に対して復調する前に、ＰＭＵから提供される基準クロック信号を取得し、モバイル端末の移動速度を特定し、移動速度に基づいてモバイル端末が基地局から送信された無線周波数信号を受信する時に発生するドップラーシフト値を特定し、基地局から送信された無線周波数信号に対して復調する場合、ＰＭＵから提供される基準クロック信号およびドップラーシフト値に基づいて、基地局から送信された無線周波数信号に対して復調することにより、ドップラーシフトが存在するため、信号復調の精度が低下し、通信速度が遅いという問題を回避する。
【００１６】
ここで、Ｓ２０２において、移動速度に基づいてモバイル端末が基地局から送信された無線周波数信号を受信する時に発生するドップラーシフト値を特定する実現方法は、たくさんあるが、本発明の実施例は、移動速度に基づいてドップラーシフト値を特定する２種の方法を提供する。
【００１７】
図３に示すように、移動速度に基づいてモバイル端末が基地局から送信された無線周波数信号を受信する時に発生するドップラーシフト値を特定する第１種の方法は、
Ｓ３０１：モバイル端末の設定した２つの時点における速度ベクトルを、ＧＰＳにより特定するステップと、
Ｓ３０２：設定した２つの時点の速度ベクトルの差の絶対値｜ΔＶ｜を特定するステップと、
Ｓ３０３：設定した２つの時点の速度ベクトル方向の夾角αを特定するステップと、
Ｓ３０４：ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、を含む。
【００１８】
｜ΔＶ｜およびαは、いずれも、ＧＰＳにより特定することができる。ここで、設定した２つの時点は、当業者により設定され、例えば、ＰＭＵから提供される基準クロック信号の取得時点に基づいて設定してもよく、例えば、２つの時点を、２つの設定した基準クロック信号の取得時点として設定してもよく、その中でも、２つの設定した基準クロック信号は、取得時点が現在時点と最も近い２つの基準クロック信号であってもよい。
【００１９】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００２０】
図４に示すように、移動速度に基づいてドップラーシフト値を特定する第２種の方法は、
Ｓ４０１：モバイル端末の設定した２つの時点における速度ベクトルを、全地球測位システムＧＰＳにより特定するステップと、
Ｓ４０２：設定した２つの時点の速度ベクトルの差の絶対値｜ΔＶ｜を特定するステップと、
Ｓ４０３：設定した２つの時点の速度ベクトル方向の夾角αを特定するステップと、
Ｓ４０４：予め設定された｜ΔＶ｜およびαの取値範囲とドップラーシフト値とのマッピング関係から、特定した｜ΔＶ｜およびαに対応するドップラーシフト値を検索するステップと、を含む。
【００２１】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００２２】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定さればよく、モバイル端末の処理量が低い。
【００２３】
もちろん、当業者にとっては、他の実行可能な形態を用い、移動速度に基づいてドップラーシフト値を特定することを実現することができ、ここで２種の実現形態のみを例として示し、その他の実現形態の説明を省略する。
【００２４】
本発明の実施例は、基準クロック信号およびドップラーシフト値に基づいて、基地局から送信され、受信した無線周波数信号に対して復調する具体的な方法を提供し、図５に示すように、当該方法は、
Ｓ５０１：復調クロック信号を特定するように、基準クロック信号とドップラーシフト値とを重ね合わせるステップと、
Ｓ５０２：復調クロック信号に基づいて、基地局から送信され、受信した無線周波数信号に対して復調するステップと、を含む。
【００２５】
実際の適用において、ドップラーシフト値を特定した後、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００２６】
本発明の実施例は、復調方法を提供し、図６に示すように、当該方法は、
Ｓ６０１：モバイル端末内のＰＭＵから提供される基準クロック信号を取得するステップと、
Ｓ６０２：モバイル端末の設定した２つの時点における速度ベクトルを、ＧＰＳにより特定するステップと、
Ｓ６０３：設定した２つの時点の速度ベクトルの差の絶対値｜ΔＶ｜を特定するステップと、
Ｓ６０４：設定した２つの時点の速度ベクトル方向の夾角αを特定するステップと、
Ｓ６０５：ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、
Ｓ６０６：復調クロック信号を特定するように、基準クロック信号とドップラーシフト値とを重ね合わせるステップと、
Ｓ６０７：復調クロック信号に基づいて、基地局から送信され、受信した無線周波数信号に対して復調するステップと、を含む。
【００２７】
図７に示すように、本発明の実施例は、
モバイル端末内のＰＭＵから提供される基準クロック信号を取得するための取得ユニット７０１と、
モバイル端末の移動速度を特定し、移動速度に基づいてモバイル端末が基地局から送信された無線周波数信号を受信する時に発生するドップラーシフト値を特定するための特定ユニット７０２と、
基準クロック信号およびドップラーシフト値に基づいて、基地局から送信され、受信した無線周波数信号に対して復調するための復調ユニット７０３と、
を備える、信号復調装置を提供する。
【００２８】
基地局から送信され、受信した無線周波数信号に対して復調する前に、取得ユニット５０１により、ＰＭＵから提供される基準クロック信号を取得し、特定ユニット５０２により、モバイル端末の移動速度を特定し、移動速度に基づいてモバイル端末が基地局から送信された無線周波数信号を受信する時に発生するドップラーシフト値を特定し、基地局から送信された無線周波数信号に対して復調する場合、復調ユニット５０３により、ＰＭＵから提供される基準クロック信号およびドップラーシフト値に基づいて、基地局から送信された無線周波数信号に対して復調ことにより、ドップラーシフトが存在するため、信号復調の精度が低下し、通信速度が遅いという問題を回避する。
【００２９】
ここで、特定ユニット７０２は、移動速度に基づいて、ドップラーシフト値を特定する実現形態は、たくさんあるが、本発明の実施例において、移動速度に基づいてドップラーシフト値を特定することを実現する２種の形態を提供する。
【００３０】
移動速度に基づいてドップラーシフト値を特定することを実現する第１種の方法は、下記の通りである。
【００３１】
図８ａに示すように、特定ユニット７０２は、
モバイル端末の設定した２つの時点における速度ベクトルを、ＧＰＳにより特定するための第１の特定モジュール８０１と、
設定した２つの時点の速度ベクトルの差の絶対値｜ΔＶ｜を特定するための第２の特定モジュール８０２と、
設定した２つの時点の速度ベクトル方向の夾角αを特定するための第３の特定モジュール８０３と、
ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するための第４の特定モジュール８０４と、を備える。
【００３２】
｜ΔＶ｜およびαは、いずれも、ＧＰＳにより特定することができる。ここで、設定した２つの時点は、当業者により設定され、例えば、ＰＭＵから提供される基準クロック信号の取得時点に基づいて設定してもよく、例えば、２つの時点を、２つの設定した基準クロック信号の取得時点として設定してもよく、その中でも、２つの設定した基準クロック信号は、取得時点が現在時点と最も近い２つの基準クロック信号であってもよい。
【００３３】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００３４】
移動速度に基づいてドップラーシフト値を特定することを実現する第２種の方法は、下記の通りである。
【００３５】
図８ｂに示すように、特定ユニット７０２は、
モバイル端末の設定した２つの時点における速度ベクトルを、ＧＰＳにより特定するための第１の特定モジュール８０１と、
設定した２つの時点の速度ベクトルの差の絶対値｜ΔＶ｜を特定するための第２の特定モジュール８０２と、
設定した２つの時点の速度ベクトル方向の夾角αを特定するための第３の特定モジュール８０３と、
予め設定された｜ΔＶ｜およびαの取値範囲とドップラーシフト値とのマッピング関係から、特定した｜ΔＶ｜およびαに対応するドップラーシフト値を検索するための検索モジュール８０５と、を備える。
【００３６】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００３７】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定すればよく、モバイル端末の処理量が低い。
【００３８】
本発明の実施例は、復調ユニット７０３を具体的に実現する形態を提供し、図９に示すように、復調ユニット７０３は、
復調クロック信号を特定するように、基準クロック信号とドップラーシフト値とを重ね合わせるための重ね合わせモジュール９０１と、
復調クロック信号に基づいて、基地局から送信され、受信した無線周波数信号に対して復調するための復調モジュール９０２と、を備える。
【００３９】
実際の適用において、ドップラーシフト値を特定した後、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００４０】
図１０に示すように、本発明の実施例は、
基準クロック信号を提供するためのＰＭＵ１００１と、
モバイル端末の移動速度を特定し、移動速度に基づいてモバイル端末が基地局から送信された無線周波数信号を受信する時に発生するドップラーシフト値を特定し、ドップラーシフト値とＰＭＵから提供される基準クロック信号に基づいて、復調クロック信号を特定するためのＰＭＵ１００１と接続されているＣＡモジュール１００２と、
基地局から送信された無線周波数信号およびＣＡモジュール１００２で特定された復調クロック信号を取得し、復調クロック信号に基づいて、基地局から送信された無線周波数信号に対して復調するためのＣＡモジュールと接続されている受信器１００３と、
を備える、信号復調装置を提供する。
【００４１】
基地局から送信され、受信した無線周波数信号に対して復調する前に、受信器１００３によりＰＭＵ１００１から提供された基準クロック信号を取得し、ＣＡモジュール１００２によりモバイル端末の移動速度を特定し、移動速度に基づいてモバイル端末が基地局から送信された無線周波数信号を受信する時に発生するドップラーシフト値を特定し、ドップラーシフト値およびＰＭＵ１００１から提供された基準クロック信号に基づいて、復調クロック信号を特定し、さらに、受信器１００３により、復調クロック信号に基づいて、基地局から送信された無線周波数信号に対して復調することにより、ドップラーシフトが存在するため、信号復調の精度が低下し、通信速度が遅いという問題を回避する。
【００４２】
ここで、ＣＡモジュール１００２が移動速度に基づいてドップラーシフト値を特定する実現形態は、たくさんあり、本発明の実施例は、ＣＡモジュール１００２が移動速度に基づいてドップラーシフト値を特定する１種の方法を提供し、該方法は、
モバイル端末の設定した２つの時点における速度ベクトルを、全地球測位システムＧＰＳにより特定するステップと、
設定した２つの時点の速度ベクトルの差の絶対値｜ΔＶ｜を特定するステップと、
設定した２つの時点の速度ベクトル方向の夾角αを特定するステップと、
ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、
を含む。
【００４３】
｜ΔＶ｜およびαは、いずれも、ＧＰＳにより特定することができる。ここで、設定した２つの時点は、当業者により経験に基づいて設定され、例えば、ＰＭＵから提供される基準クロック信号の取得時点に基づいて設定してもよく、例えば、２つの時点を、２つの設定した基準クロック信号の取得時点として設定してもよく、２つの設定した基準クロック信号は、取得時点が現在時点と最も近い２つの基準クロック信号であってもよい。
【００４４】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００４５】
もちろん、当業者にとっては、他の実行可能な形態を用い、ＣＡモジュール１００２が移動速度に基づいてドップラーシフト値を特定することを実現することができ、ここで１種の実現形態のみを提供し、その他の実現形態の説明を省略する。
【００４６】
実際の適用において、ＣＡモジュール１００２がドップラーシフト値を特定した後、ドップラーシフト値と基準クロック信号とを重ね合わせて、復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いとう問題を回避する。すなわち、ＣＡモジュール１００２は、基準クロック信号およびドップラーシフト値を重ね合わせるためのダイレクトデジタルシンセサイザーＤＤＳを備え、
ＣＡモジュール１００２は、ドップラーシフト値および基準クロック信号に基づいて復調クロック信号を特定する場合、ＤＤＳにより基準クロック信号とドップラーシフト値とを重ね合わせて復調クロック信号を特定する。
【００４７】
さらに、ＣＡモジュール１００２がＧＰＳに基づいて移動速度を特定する場合、モバイル端末における他のＧＰＳで取得された、移動速度を表現する無線周波数信号を用いる必要があるモジュールへの影響を防止するために、ＧＰＳで取得された移動速度を表現する無線周波数信号をＣＡモジュール１００２にカップリングすることができることが好ましく、本発明の実施例に係る復調装置は、
ＧＰＳで取得された、移動速度を表現する無線周波数信号を、ＣＡモジュール１００２とカップリングするためのカップリングモジュールであって、ＣＡモジュール１００２と接続されているカップリングモジュールをさらに備える。
【００４８】
図１１に示すように、本発明の実施例は、さらに、
基準クロック信号を提供するためのＰＭＵ１００１と、
受信器で特定された移動速度に基づいて、モバイル端末が基地局から送信された無線周波数信号を受信する時に発生するドップラーシフト値を特定するための処理ユニット１００４と、
モバイル端末の移動速度を特定し、基地局から送信された無線周波数信号、ＰＭＵ１００１で提供された基準クロック信号および処理ユニット１００４で特定されたドップラーシフト値を取得し、基準クロック信号およびドップラーシフト値に基づいて、基地局から送信された無線周波数信号に対して復調するためのＰＭＵ１００１および処理ユニット１００４と接続されている受信器１００３と、を備える、信号復調装置を提供する。
【００４９】
基地局から送信され、受信した無線周波数信号に対して復調する前に、受信器１００３がＰＭＵ１００１から提供された基準クロック信号を取得し、受信器１００３により、モバイル端末の移動速度を特定し、処理ユニット１００４により、移動速度に基づいてモバイル端末が基地局から送信された無線周波数信号を受信する時に発生するドップラーシフト値を特定し、さらに、受信器１００３により、基準クロック信号、およびドップラーシフト値に基づいて、基地局から送信された無線周波数信号に対して復調することにより、ドップラーシフトが存在するため、信号復調の精度が低下し、通信速度が遅いという問題を回避する。
【００５０】
ここで、処理ユニット１００４は、
アプリケーションプロセッサ（ａｐｐｌｉｃａｔｉｏｎ  ｐｒｏｃｅｓｓｅｒ、ＡＰ）、または
中央処理装置（Ｃｅｎｔｒａｌ  Ｐｒｏｃｅｓｓｉｎｇ  Ｕｎｉｔ、ＣＰＵ）であってもよい。
【００５１】
もちろん、当業者にとっては、処理ユニット１００４として他の使用可能な装置を用いてもよく、ここで、２種の処理ユニット１００４として使用可能な装置のみを提供し、そのほかの説明を省略する。
【００５２】
基地局から送信され、受信した無線周波数信号に対して復調する前に、受信器１００３がＰＭＵ１００１から提供された基準クロック信号を取得し、ＧＰＳにより、モバイル端末の移動速度を特定し、さらに、処理ユニット１００４により、ＧＰＳで特定された移動速度に基づいてドップラーシフト値を特定し、受信器１００３は、ドップラーシフト値およびＰＭＵ１００１から提供された基準クロック信号に基づいて、基地局から送信された無線周波数信号に対して復調する。ＧＰＳにより特定された移動速度の精度は、非常に高くなるので、移動速度に基づいて特定されたドップラーシフト値の精度を高くさせ、さらに基準クロック信号およびドップラーシフト値に基づいて、基地局から送信された無線周波数信号に対する変調精度をも高くさせる。これにより、ドップラーシフトが存在する場合、通信速度が遅いという問題を回避する。
【００５３】
ここで、処理ユニット１００４が移動速度に基づいてドップラーシフト値を特定する実現形態は、たくさんあるが、本発明の実施例は、処理ユニット１００４が移動速度に基づいてドップラーシフト値を特定することを実現する１種の方法を提供し、当該方法は、
モバイル端末の設定した２つの時点における速度ベクトルを、全地球測位システムＧＰＳにより特定するステップと、
設定した２つの時点の速度ベクトルの差の絶対値｜ΔＶ｜を特定するステップと、
設定した２つの時点の速度ベクトル方向の夾角αを特定するステップと、
予め設定された｜ΔＶ｜およびαの取値範囲とドップラーシフト値とのマッピング関係から、特定した｜ΔＶ｜およびαに対応するドップラーシフト値を検索するステップと、を含む。
【００５４】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００５５】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定すればよく、モバイル端末の処理量が低い。
【００５６】
もちろん、当業者にとっては、他の実行可能な形態を用い、処理ユニット１００４が移動速度に基づいてドップラーシフト値を特定することを実現することができ、ここで１種の実現形態のみを提供し、その他の実現形態の説明を省略する。
【００５７】
実際の適用において、受信器１００３は、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００５８】
もちろん、当業者にとっては、他の実行可能な形態を用い、受信器１００３がドップラーシフト値および基準クロック信号に基づいて、基地局から送信され、受信した無線周波数信号に対して復調することを実現することができ、ここで、その他の実現形態の説明を省略する。
【００５９】
本発明の実施例は、ドップラーシフトによる通信速度への影響を減少するために、信号復調方法および装置を提供する。基地局から送信され、受信した無線周波数信号に対して復調する場合、ＰＭＵから提供される基準クロック信号を取得した後、さらに移動速度を特定し、移動速度に基づいてモバイル端末が基地局から送信された無線周波数信号を受信する時に発生するドップラーシフト値を特定する必要があり、再び、基準クロック信号およびドップラーシフト値に基づいて、基地局から送信され、受信した無線周波数信号に対して復調する。基地局から送信された無線周波数信号に対して復調する場合、ドップラーシフトの影響を考慮したため、復調の精度が高くなる。これにより、ドップラーシフトが存在する場合、通信速度が遅いという問題を回避する。
【００６０】
当業者にとって、本発明の実施例が方法、システム、或いはコンピュータープログラム製品として提供されることができることを理解するべきである。従って、本発明は、完全なハードウェアによる実施例、完全なソフトウェアによる実施例、或いはソフトウェアとハードウェアの組み合わせによる実施例の形態を使用することができる。また、本発明は、１つ又は複数のコンピューター使用可能プログラム・コードが記憶されたコンピューターで使用可能な記憶媒体（ディスクメモリや、ＣＤ−ＲＯＭや、光メモリ等が挙げられるが、これに限定しない）において実施できるコンピュータープログラム製品であってもよい。
【００６１】
本発明については、本発明の実施例の方法と、装置（システム）と、コンピュータープログラム製品とに基づくフローチャート及び／又はブロック図を参照して説明する。コンピュータープログラム指令で、フローチャート及び／又はブロック図における各ステップ及び／又は各ブロック、及びフローチャート及び／又はブロック図におけるステップ及び／又はブロックの組合せを実現すると理解すべきである。このようなコンピュータープログラム指令を汎用コンピューター、専用コンピューター、組込みプロセッサ、或いはその他のプログラム可能なデータ処理装置のプロセッサに提供して一つの機器を実現することができ、このようにして、コンピューター或いはその他のプログラム可能なデータ処理装置のプロセッサで実行する指令によって、フローチャートの一つ或いは複数の処理、及び／又は、ブロック図の一つ或いは複数のブロックで指定された機能を実現するための装置を生成することができる。
【００６２】
このようなコンピュータープログラム指令は、コンピューター或いはその他のプログラム可能なデータ処理装置が特定の方式で動作するように案内する、コンピューターが読み取り可能なメモリに記憶され、該コンピューターが読み取り可能なメモリに記憶されている指令によって、指令装置を含む製品を生成するようにしてもよい。該指令装置は、フローチャートの一つ或いは複数の処理、及び／又は、ブロック図の一つ或いは複数のブロックで指定された機能を実現する。
【００６３】
このようなコンピュータープログラム指令は、コンピューター、或いはその他のプログラム可能なデータ処理装置にローディングされ、コンピューター、或いはその他のプログラム可能なデバイスで一連の操作ステップを実行して、コンピューターによる処理を実現してもよい。これによって、コンピューター、或いはその他のプログラム可能な装置で実行する指令によって、フローチャートの一つ或いは複数のステップ、及び／又は、ブロック図の一つ或いは複数のブロックで指定された機能を実現するためのステップを提供する。
【００６４】
本発明の好ましい実施例を説明したが、当業者は、基本的な思想を理解すると、上記実施例に対して他の変更や補正をすることができる。そのため、添付の特許請求の範囲は、好ましい実施例及び本発明の範囲内において行う全ての変更及び補正を含むことを解釈すべきである。
【００６５】
もちろん、当業者は、本発明の主旨と範囲を逸脱しない範囲で本発明に対してさまざまな補正と変形を行うことができる。このように、本発明のこれらの補正と変形が本発明の特許請求の範囲、及びその均等な技術の範囲に属している場合、本発明はこのような補正と変形も含むことを意図する。
【００６６】
本願は、出願番号がＣＮ２０１３１０１９５５６９．３であって、出願日が２０１３年５月２３日である中国特許出願に基づき優先権を主張し、当該中国特許出願のすべての内容を本願に援用する。
【図１】
2016504818.tif 000003
【図２】
2016504818.tif 000004
【図３】
2016504818.tif 000005
【図４】
2016504818.tif 000006
【図５】
2016504818.tif 000007
【図６】
2016504818.tif 000008
【図７】
2016504818.tif 000009
【図８ａ】
2016504818.tif 000010
【図８ｂ】
2016504818.tif 000011
【図９】
2016504818.tif 000012
【図１０】
2016504818.tif 000013
【図１１】
2016504818.tif 000014
【手続補正書】
【提出日】平成27年5月25日(2015.5.25)
【手続補正１】
【補正対象書類名】明細書
【補正対象項目名】全文
【補正方法】変更
【補正の内容】
【発明の詳細な説明】
【技術分野】
【０００１】
本発明は、モバイル端末の開発技術に関し、特に、信号復調方法、装置、プログラム及び記録媒体に関する。
【背景技術】
【０００２】
通信速度は、ずっと、ユーザーからよく注目されたものであるが、ユーザーが移動状態にある場合、ドップラー効果が存在するため、ドップラーシフトが発生することになっている。ユーザーの移動速度が速い場合、モバイル端末は、基地局から送信された信号を受信する時に、相対的に大きいドップラーシフトが存在し、即ち、受信した信号の周波数と基地局から実際に送信された信号の周波数との間の差値であるドップラーシフト値が大きいので、通信システム無線周波数復調の精度に影響し、基地局との通信データのスループット率に影響し、その結果、通信速度が遅くなってしまう。
【０００３】
広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ(登録商標)）のモバイル通信システムを例にして、モバイル端末の全地球測位システム（Ｇｌｏｂａｌ  Ｐｏｓｉｔｉｏｎｉｎｇ  Ｓｙｓｔｅｍ、ＧＰＳ）およびＷＣＤＭＡの復調装置回路図は、図１に示すものであり、ＧＰＳおよびＷＣＤＭＡの信号処理モジュールは、いずれも送受信器（ｔｒａｎｓｉｖｅｒ）により無線周波数復調の機能を提供し、且つベースバンド（ｂａｓｅｂａｎｄ）信号をベースバンドプロセッサへ送信して処理を行い、その後ベースバンドプロセッサにより、データをアプリ（ａｐｐｌｉｃａｔｉｏｎ  ｐｒｏｃｅｓｓ、ＡＰ）／中央処理装置（Ｃｅｎｔｒａｌ  Ｐｒｏｃｅｓｓｉｎｇ  Ｕｎｉｔ、ＣＰＵ）に知らせる。図１におけるｔｒａｎｓｉｖｅｒは、復調の時に１つの基準クロック信号で復調を行う必要があり、基準クロック信号は、電源管理ユニット（Ｐｏｗｅｒ  Ｍａｎａｇｅｍｅｎｔ  Ｕｎｉｔ、ＰＭＵ）から提供され、ｔｒａｎｓｉｖｅｒは、基準クロック信号に基づいてＷＣＤＭＡまたはその他の無線周波数信号に対して復調を行う。したがって、基準クロック信号の値は、ｔｒａｎｓｉｖｅｒの復調精度を決定する。復調精度が比較的高くなる場合、モバイル端末と基地局通信とのスループット率も比較的高く、通信システムの通信速度も比較的大きくなる。しかしながら、ＰＭＵから提供される基準クロック信号に基づいて無線周波数信号を復調することは、ドップラーシフトによる無線周波数復調への影響を考慮していない。移動速度が速い場合、無線周波数復調の精度が低くなり、通信速度が遅くなる。
【発明の概要】
【０００４】
本発明の実施例は、ドップラーシフトが存在する場合、通信速度が遅いという問題を解决するための、信号復調方法、装置、プログラム及び記録媒体を提供する。
【０００５】
本発明に係る実施例の第１態様は、
モバイル端末内のＰＭＵから提供される基準クロック信号を取得するステップと、
前記モバイル端末の移動速度を特定し、移動速度に基づいて前記モバイル端末が基地局から送信された無線周波数信号を受信する時に発生するドップラーシフト値を特定するステップと、
基準クロック信号およびドップラーシフト値に基づいて、基地局から送信され、受信した無線周波数信号に対して復調するステップと、
を含む、信号復調方法を提供する。
【０００６】
本発明に係る実施例の第２態様は、
モバイル端末内のＰＭＵから提供される基準クロック信号を取得するための取得ユニットと、
モバイル端末の移動速度を特定し、移動速度に基づいて前記モバイル端末が基地局から送信された無線周波数信号を受信する時に発生するドップラーシフト値を特定するための特定ユニットと、
基準クロック信号およびドップラーシフト値に基づいて、基地局から送信され、受信した無線周波数信号に対して復調するための復調ユニットと、
を備える、信号復調装置を提供する。
【０００７】
本発明に係る実施例の第３態様は、
基準クロック信号を提供するためのＰＭＵと、
モバイル端末の移動速度を特定し、移動速度に基づいて前記モバイル端末が基地局から送信された無線周波数信号を受信する時に発生するドップラーシフト値を特定し、ドップラーシフト値とＰＭＵから提供される基準クロック信号に基づいて、復調クロック信号を特定するためのＰＭＵと接続されているＣＡモジュールと、
基地局から送信された無線周波数信号およびＣＡモジュールで特定された復調クロック信号を取得し、復調クロック信号に基づいて、基地局から送信された無線周波数信号に対して復調するためのＣＡモジュールと接続されている受信器と、
を備える、信号復調装置を提供する。
【０００８】
本発明に係る実施例の第４態様は、
基準クロック信号を提供するためのＰＭＵと、
受信器で特定された移動速度に基づいて、モバイル端末が基地局から送信された無線周波数信号を受信する時に発生するドップラーシフト値を特定するための処理ユニットと、
モバイル端末の移動速度を特定し、基地局から送信された無線周波数信号、ＰＭＵで提供された基準クロック信号および処理ユニットで特定されたドップラーシフト値を取得し、基準クロック信号およびドップラーシフト値に基づいて、基地局から送信された無線周波数信号に対して復調するためのＰＭＵおよび処理ユニットと接続されている受信器と、
を備える、信号復調装置を提供する。
本発明に係る実施例の第５態様は、
プロセッサに実行されることにより、前記の信号復調方法を実現することを特徴とするプログラムを提供する。
本発明に係る実施例の第６態様は、
前記のプログラムが記録された記録媒体を提供する。
【０００９】
本発明に係る実施例に提供された技術案は、以下の有益な効果を有する。
【００１０】
本発明の実施例は、ドップラーシフトによる通信速度への影響を減少させるために、信号復調方法および装置を提供する。基地局から送信され、受信した無線周波数信号に対して復調する場合、ＰＭＵから提供される基準クロック信号を取得した後、さらに、モバイル端末の移動速度を特定し、移動速度に基づいてモバイル端末が基地局から発射され無線周波数信号を受信する時に発生するドップラーシフト値を特定する必要があり、再び、基準クロック信号およびドップラーシフト値に基づいて、基地局から送信され、受信した無線周波数信号に対して復調する。基地局から送信された無線周波数信号に対して復調する場合、ドップラーシフトの影響を考慮したため、復調精度が高くなる。これにより、ドップラーシフトが存在する場合、変調精度が低下し、通信速度が遅いという問題を回避する。
【００１１】
上記の一般的な説明および後述の詳細な説明は、例示的かつ解釈的なものに過ぎず、本発明を限定するものではないことを理解すべきである。
【図面の簡単な説明】
【００１２】
ここで、図面は明細書に組み込んで本明細書の一部とし、本発明に合致する実施例を示すとともに、明細書とともに本発明の原理を説明する。
【図１】図１は、一例示的な実施例に係るＧＰＳおよびＷＣＤＭＡ復調装置の構成を示す模式図である。
【図２】図２は、一例示的な実施例に係る信号復調方法を示すフローチャートである。
【図３】図３は、一例示的な実施例に係るドップラーシフトの特定方法を示すフローチャートである（その一）。
【図４】図４は、一例示的な実施例に係るドップラーシフトの特定方法を示すフローチャートである（その二）。
【図５】図５は、一例示的な実施例に係る基準クロック信号およびドップラーシフト値に基づいて復調する方法を示すフローチャートである。
【図６】図６は、一例示的な実施例に係る好ましい復調方法を示すフローチャートである。
【図７】図７は、一例示的な実施例に係る信号復調装置の構成を示す模式図である（その一）。
【図８ａ】図８ａは、一例示的な実施例に係る特定ユニットの構成を示す模式図である（その一）。
【図８ｂ】図８ｂは、一例示的な実施例に係る特定ユニットの構成を示す模式図である（その二）。
【図９】図９は、一例示的な実施例に係る復調ユニットの構成を示す模式図である。
【図１０】図１０は、一例示的な実施例に係る信号復調装置の構成を示す模式図である（その二）。
【図１１】図１１は、一例示的な実施例に係る信号復調装置の構成を示す模式図である（その三）。
【発明を実施するための形態】
【００１３】
本発明の実施例は、ドップラーシフトによる通信速度への影響を減少させるために、信号復調方法および装置を提供する。基地局から送信され、受信した無線周波数信号の復調において、ＰＭＵから提供される基準クロック信号を取得した後、さらに、モバイル端末の移動速度を特定し、モバイル端末が基地局から送信された無線周波数信号を受信する時に発生するドップラーシフト値を移動速度に基づいて特定する必要があり、再び、基準クロック信号およびドップラーシフト値に基づいて、基地局から送信され、受信した無線周波数信号は復調される。ドップラーシフトの影響を考慮して、基地局から送信された無線周波数信号を復調するので、復調精度が相対的に高くなり、これにより、ドップラーシフトが存在する場合に、変調精度が低下し、通信速度が遅いという問題を回避する。
【００１４】
図２に示すように、本発明の実施例は、
Ｓ２０１：モバイル端末内のＰＭＵから提供される基準クロック信号を取得するステップと、
Ｓ２０２：モバイル端末の移動速度を特定し、移動速度に基づいてモバイル端末が基地局から送信された無線周波数信号を受信する時に発生するドップラーシフト値を特定するステップと、
Ｓ２０３：基準クロック信号およびドップラーシフト値に基づいて、基地局から送信され、受信した無線周波数信号に対して復調するステップと、
を含む、信号復調方法を提供する。
【００１５】
基地局から送信され、受信した無線周波数信号に対して復調する前に、ＰＭＵから提供される基準クロック信号を取得し、モバイル端末の移動速度を特定し、移動速度に基づいてモバイル端末が基地局から送信された無線周波数信号を受信する時に発生するドップラーシフト値を特定し、基地局から送信された無線周波数信号に対して復調する場合、ＰＭＵから提供される基準クロック信号およびドップラーシフト値に基づいて、基地局から送信された無線周波数信号に対して復調することにより、ドップラーシフトが存在するため、信号復調の精度が低下し、通信速度が遅いという問題を回避する。
【００１６】
ここで、Ｓ２０２において、移動速度に基づいてモバイル端末が基地局から送信された無線周波数信号を受信する時に発生するドップラーシフト値を特定する実現方法は、たくさんあるが、本発明の実施例は、移動速度に基づいてドップラーシフト値を特定する２種の方法を提供する。
【００１７】
図３に示すように、移動速度に基づいてモバイル端末が基地局から送信された無線周波数信号を受信する時に発生するドップラーシフト値を特定する第１種の方法は、
Ｓ３０１：モバイル端末の設定した２つの時点における速度ベクトルを、ＧＰＳにより特定するステップと、
Ｓ３０２：設定した２つの時点の速度ベクトルの差の絶対値｜ΔＶ｜を特定するステップと、
Ｓ３０３：設定した２つの時点の速度ベクトル方向の夾角αを特定するステップと、
Ｓ３０４：ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、を含む。
【００１８】
｜ΔＶ｜およびαは、いずれも、ＧＰＳにより特定することができる。ここで、設定した２つの時点は、当業者により設定され、例えば、ＰＭＵから提供される基準クロック信号の取得時点に基づいて設定してもよく、例えば、２つの時点を、２つの設定した基準クロック信号の取得時点として設定してもよく、その中でも、２つの設定した基準クロック信号は、取得時点が現在時点と最も近い２つの基準クロック信号であってもよい。
【００１９】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００２０】
図４に示すように、移動速度に基づいてドップラーシフト値を特定する第２種の方法は、
Ｓ４０１：モバイル端末の設定した２つの時点における速度ベクトルを、全地球測位システムＧＰＳにより特定するステップと、
Ｓ４０２：設定した２つの時点の速度ベクトルの差の絶対値｜ΔＶ｜を特定するステップと、
Ｓ４０３：設定した２つの時点の速度ベクトル方向の夾角αを特定するステップと、
Ｓ４０４：予め設定された｜ΔＶ｜およびαの取値範囲とドップラーシフト値とのマッピング関係から、特定した｜ΔＶ｜およびαに対応するドップラーシフト値を検索するステップと、を含む。
【００２１】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００２２】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定さればよく、モバイル端末の処理量が低い。
【００２３】
もちろん、当業者にとっては、他の実行可能な形態を用い、移動速度に基づいてドップラーシフト値を特定することを実現することができ、ここで２種の実現形態のみを例として示し、その他の実現形態の説明を省略する。
【００２４】
本発明の実施例は、基準クロック信号およびドップラーシフト値に基づいて、基地局から送信され、受信した無線周波数信号に対して復調する具体的な方法を提供し、図５に示すように、当該方法は、
Ｓ５０１：復調クロック信号を特定するように、基準クロック信号とドップラーシフト値とを重ね合わせるステップと、
Ｓ５０２：復調クロック信号に基づいて、基地局から送信され、受信した無線周波数信号に対して復調するステップと、を含む。
【００２５】
実際の適用において、ドップラーシフト値を特定した後、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００２６】
本発明の実施例は、復調方法を提供し、図６に示すように、当該方法は、
Ｓ６０１：モバイル端末内のＰＭＵから提供される基準クロック信号を取得するステップと、
Ｓ６０２：モバイル端末の設定した２つの時点における速度ベクトルを、ＧＰＳにより特定するステップと、
Ｓ６０３：設定した２つの時点の速度ベクトルの差の絶対値｜ΔＶ｜を特定するステップと、
Ｓ６０４：設定した２つの時点の速度ベクトル方向の夾角αを特定するステップと、
Ｓ６０５：ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、
Ｓ６０６：復調クロック信号を特定するように、基準クロック信号とドップラーシフト値とを重ね合わせるステップと、
Ｓ６０７：復調クロック信号に基づいて、基地局から送信され、受信した無線周波数信号に対して復調するステップと、を含む。
【００２７】
図７に示すように、本発明の実施例は、
モバイル端末内のＰＭＵから提供される基準クロック信号を取得するための取得ユニット７０１と、
モバイル端末の移動速度を特定し、移動速度に基づいてモバイル端末が基地局から送信された無線周波数信号を受信する時に発生するドップラーシフト値を特定するための特定ユニット７０２と、
基準クロック信号およびドップラーシフト値に基づいて、基地局から送信され、受信した無線周波数信号に対して復調するための復調ユニット７０３と、
を備える、信号復調装置を提供する。
【００２８】
基地局から送信され、受信した無線周波数信号に対して復調する前に、取得ユニット５０１により、ＰＭＵから提供される基準クロック信号を取得し、特定ユニット５０２により、モバイル端末の移動速度を特定し、移動速度に基づいてモバイル端末が基地局から送信された無線周波数信号を受信する時に発生するドップラーシフト値を特定し、基地局から送信された無線周波数信号に対して復調する場合、復調ユニット５０３により、ＰＭＵから提供される基準クロック信号およびドップラーシフト値に基づいて、基地局から送信された無線周波数信号に対して復調ことにより、ドップラーシフトが存在するため、信号復調の精度が低下し、通信速度が遅いという問題を回避する。
【００２９】
ここで、特定ユニット７０２は、移動速度に基づいて、ドップラーシフト値を特定する実現形態は、たくさんあるが、本発明の実施例において、移動速度に基づいてドップラーシフト値を特定することを実現する２種の形態を提供する。
【００３０】
移動速度に基づいてドップラーシフト値を特定することを実現する第１種の方法は、下記の通りである。
【００３１】
図８ａに示すように、特定ユニット７０２は、
モバイル端末の設定した２つの時点における速度ベクトルを、ＧＰＳにより特定するための第１の特定モジュール８０１と、
設定した２つの時点の速度ベクトルの差の絶対値｜ΔＶ｜を特定するための第２の特定モジュール８０２と、
設定した２つの時点の速度ベクトル方向の夾角αを特定するための第３の特定モジュール８０３と、
ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するための第４の特定モジュール８０４と、を備える。
【００３２】
｜ΔＶ｜およびαは、いずれも、ＧＰＳにより特定することができる。ここで、設定した２つの時点は、当業者により設定され、例えば、ＰＭＵから提供される基準クロック信号の取得時点に基づいて設定してもよく、例えば、２つの時点を、２つの設定した基準クロック信号の取得時点として設定してもよく、その中でも、２つの設定した基準クロック信号は、取得時点が現在時点と最も近い２つの基準クロック信号であってもよい。
【００３３】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００３４】
移動速度に基づいてドップラーシフト値を特定することを実現する第２種の方法は、下記の通りである。
【００３５】
図８ｂに示すように、特定ユニット７０２は、
モバイル端末の設定した２つの時点における速度ベクトルを、ＧＰＳにより特定するための第１の特定モジュール８０１と、
設定した２つの時点の速度ベクトルの差の絶対値｜ΔＶ｜を特定するための第２の特定モジュール８０２と、
設定した２つの時点の速度ベクトル方向の夾角αを特定するための第３の特定モジュール８０３と、
予め設定された｜ΔＶ｜およびαの取値範囲とドップラーシフト値とのマッピング関係から、特定した｜ΔＶ｜およびαに対応するドップラーシフト値を検索するための検索モジュール８０５と、を備える。
【００３６】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００３７】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定すればよく、モバイル端末の処理量が低い。
【００３８】
本発明の実施例は、復調ユニット７０３を具体的に実現する形態を提供し、図９に示すように、復調ユニット７０３は、
復調クロック信号を特定するように、基準クロック信号とドップラーシフト値とを重ね合わせるための重ね合わせモジュール９０１と、
復調クロック信号に基づいて、基地局から送信され、受信した無線周波数信号に対して復調するための復調モジュール９０２と、を備える。
【００３９】
実際の適用において、ドップラーシフト値を特定した後、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００４０】
図１０に示すように、本発明の実施例は、
基準クロック信号を提供するためのＰＭＵ１００１と、
モバイル端末の移動速度を特定し、移動速度に基づいてモバイル端末が基地局から送信された無線周波数信号を受信する時に発生するドップラーシフト値を特定し、ドップラーシフト値とＰＭＵから提供される基準クロック信号に基づいて、復調クロック信号を特定するためのＰＭＵ１００１と接続されているＣＡモジュール１００２と、
基地局から送信された無線周波数信号およびＣＡモジュール１００２で特定された復調クロック信号を取得し、復調クロック信号に基づいて、基地局から送信された無線周波数信号に対して復調するためのＣＡモジュールと接続されている受信器１００３と、
を備える、信号復調装置を提供する。
【００４１】
基地局から送信され、受信した無線周波数信号に対して復調する前に、受信器１００３によりＰＭＵ１００１から提供された基準クロック信号を取得し、ＣＡモジュール１００２によりモバイル端末の移動速度を特定し、移動速度に基づいてモバイル端末が基地局から送信された無線周波数信号を受信する時に発生するドップラーシフト値を特定し、ドップラーシフト値およびＰＭＵ１００１から提供された基準クロック信号に基づいて、復調クロック信号を特定し、さらに、受信器１００３により、復調クロック信号に基づいて、基地局から送信された無線周波数信号に対して復調することにより、ドップラーシフトが存在するため、信号復調の精度が低下し、通信速度が遅いという問題を回避する。
【００４２】
ここで、ＣＡモジュール１００２が移動速度に基づいてドップラーシフト値を特定する実現形態は、たくさんあり、本発明の実施例は、ＣＡモジュール１００２が移動速度に基づいてドップラーシフト値を特定する１種の方法を提供し、該方法は、
モバイル端末の設定した２つの時点における速度ベクトルを、全地球測位システムＧＰＳにより特定するステップと、
設定した２つの時点の速度ベクトルの差の絶対値｜ΔＶ｜を特定するステップと、
設定した２つの時点の速度ベクトル方向の夾角αを特定するステップと、
ドップラーシフト値計算公式Ｆｄ＝｜ΔＶ｜×ｃｏｓα／λ（λは、無線電波波長である）に基づいて、モバイル端末が基地局から送信された無線周波数信号を受信する時に発生するドップラーシフト値Ｆｄを特定するステップと、
を含む。
【００４３】
｜ΔＶ｜およびαは、いずれも、ＧＰＳにより特定することができる。ここで、設定した２つの時点は、当業者により経験に基づいて設定され、例えば、ＰＭＵから提供される基準クロック信号の取得時点に基づいて設定してもよく、例えば、２つの時点を、２つの設定した基準クロック信号の取得時点として設定してもよく、２つの設定した基準クロック信号は、取得時点が現在時点と最も近い２つの基準クロック信号であってもよい。
【００４４】
このような方法で特定されたドップラーシフト値の精度が高く、ドップラーシフト値および基準クロック信号に基づいて、基地局から送信された無線周波数信号をデコードする精度を高く確保することができる。したがって高い通信速度を得ることができる。
【００４５】
もちろん、当業者にとっては、他の実行可能な形態を用い、ＣＡモジュール１００２が移動速度に基づいてドップラーシフト値を特定することを実現することができ、ここで１種の実現形態のみを提供し、その他の実現形態の説明を省略する。
【００４６】
実際の適用において、ＣＡモジュール１００２がドップラーシフト値を特定した後、ドップラーシフト値と基準クロック信号とを重ね合わせて、復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いとう問題を回避する。すなわち、ＣＡモジュール１００２は、基準クロック信号およびドップラーシフト値を重ね合わせるためのダイレクトデジタルシンセサイザーＤＤＳを備え、
ＣＡモジュール１００２は、ドップラーシフト値および基準クロック信号に基づいて復調クロック信号を特定する場合、ＤＤＳにより基準クロック信号とドップラーシフト値とを重ね合わせて復調クロック信号を特定する。
【００４７】
さらに、ＣＡモジュール１００２がＧＰＳに基づいて移動速度を特定する場合、モバイル端末における他のＧＰＳで取得された、移動速度を表現する無線周波数信号を用いる必要があるモジュールへの影響を防止するために、ＧＰＳで取得された移動速度を表現する無線周波数信号をＣＡモジュール１００２にカップリングすることができることが好ましく、本発明の実施例に係る復調装置は、
ＧＰＳで取得された、移動速度を表現する無線周波数信号を、ＣＡモジュール１００２とカップリングするためのカップリングモジュールであって、ＣＡモジュール１００２と接続されているカップリングモジュールをさらに備える。
【００４８】
図１１に示すように、本発明の実施例は、さらに、
基準クロック信号を提供するためのＰＭＵ１００１と、
受信器で特定された移動速度に基づいて、モバイル端末が基地局から送信された無線周波数信号を受信する時に発生するドップラーシフト値を特定するための処理ユニット１００４と、
モバイル端末の移動速度を特定し、基地局から送信された無線周波数信号、ＰＭＵ１００１で提供された基準クロック信号および処理ユニット１００４で特定されたドップラーシフト値を取得し、基準クロック信号およびドップラーシフト値に基づいて、基地局から送信された無線周波数信号に対して復調するためのＰＭＵ１００１および処理ユニット１００４と接続されている受信器１００３と、を備える、信号復調装置を提供する。
【００４９】
基地局から送信され、受信した無線周波数信号に対して復調する前に、受信器１００３がＰＭＵ１００１から提供された基準クロック信号を取得し、受信器１００３により、モバイル端末の移動速度を特定し、処理ユニット１００４により、移動速度に基づいてモバイル端末が基地局から送信された無線周波数信号を受信する時に発生するドップラーシフト値を特定し、さらに、受信器１００３により、基準クロック信号、およびドップラーシフト値に基づいて、基地局から送信された無線周波数信号に対して復調することにより、ドップラーシフトが存在するため、信号復調の精度が低下し、通信速度が遅いという問題を回避する。
【００５０】
ここで、処理ユニット１００４は、
アプリケーションプロセッサ（ａｐｐｌｉｃａｔｉｏｎ  ｐｒｏｃｅｓｓｅｒ、ＡＰ）、または
中央処理装置（Ｃｅｎｔｒａｌ  Ｐｒｏｃｅｓｓｉｎｇ  Ｕｎｉｔ、ＣＰＵ）であってもよい。
【００５１】
もちろん、当業者にとっては、処理ユニット１００４として他の使用可能な装置を用いてもよく、ここで、２種の処理ユニット１００４として使用可能な装置のみを提供し、そのほかの説明を省略する。
【００５２】
基地局から送信され、受信した無線周波数信号に対して復調する前に、受信器１００３がＰＭＵ１００１から提供された基準クロック信号を取得し、ＧＰＳにより、モバイル端末の移動速度を特定し、さらに、処理ユニット１００４により、ＧＰＳで特定された移動速度に基づいてドップラーシフト値を特定し、受信器１００３は、ドップラーシフト値およびＰＭＵ１００１から提供された基準クロック信号に基づいて、基地局から送信された無線周波数信号に対して復調する。ＧＰＳにより特定された移動速度の精度は、非常に高くなるので、移動速度に基づいて特定されたドップラーシフト値の精度を高くさせ、さらに基準クロック信号およびドップラーシフト値に基づいて、基地局から送信された無線周波数信号に対する変調精度をも高くさせる。これにより、ドップラーシフトが存在する場合、通信速度が遅いという問題を回避する。
【００５３】
ここで、処理ユニット１００４が移動速度に基づいてドップラーシフト値を特定する実現形態は、たくさんあるが、本発明の実施例は、処理ユニット１００４が移動速度に基づいてドップラーシフト値を特定することを実現する１種の方法を提供し、当該方法は、
モバイル端末の設定した２つの時点における速度ベクトルを、全地球測位システムＧＰＳにより特定するステップと、
設定した２つの時点の速度ベクトルの差の絶対値｜ΔＶ｜を特定するステップと、
設定した２つの時点の速度ベクトル方向の夾角αを特定するステップと、
予め設定された｜ΔＶ｜およびαの取値範囲とドップラーシフト値とのマッピング関係から、特定した｜ΔＶ｜およびαに対応するドップラーシフト値を検索するステップと、を含む。
【００５４】
例えば、Ｆｄ＝｜ΔＶ｜×ｃｏｓα／λに基づいて、ＧＰＳで取得されたモバイル端末の設定した２つの時点における速度ベクトルの差の絶対値及びＧＰＳで取得されたモバイル端末の設定した２つの時点における速度ベクトル方向の夾角の取値範囲のマッピング関係を特定することができ、当該マッピング関係の精度は、当業者により必要に応じて設定されることができる。
【００５５】
ＧＰＳで取得されたモバイル端の設定した２つの時点の速度ベクトルの差の絶対値及びＧＰＳで取得されたモバイル端の設定した２つの時点の速度ベクトル方向の夾角の取値範囲のマッピング関係を予め設定し、ドップラーシフト値を特定する必要がある場合、マッピング関係におけるＧＰＳで取得されたモバイル端の設定した２つの時点の速度ベクトルの差の絶対値及びＧＰＳで取得されたモバイル端の設定した２つの時点の速度ベクトル方向の夾角と対応するドップラーシフト値だけを特定すればよく、モバイル端末の処理量が低い。
【００５６】
もちろん、当業者にとっては、他の実行可能な形態を用い、処理ユニット１００４が移動速度に基づいてドップラーシフト値を特定することを実現することができ、ここで１種の実現形態のみを提供し、その他の実現形態の説明を省略する。
【００５７】
実際の適用において、受信器１００３は、ドップラーシフト値と基準クロック信号とを重ね合わせて復調クロック信号を特定し、さらに復調クロック信号に基づいて、基地局から送信され、受信した無線周波数信号に対して復調することにより、ドップラーシフトが存在するため、通信システム無線周波数の変調精度が低く、通信速度が遅いという問題を回避する。
【００５８】
もちろん、当業者にとっては、他の実行可能な形態を用い、受信器１００３がドップラーシフト値および基準クロック信号に基づいて、基地局から送信され、受信した無線周波数信号に対して復調することを実現することができ、ここで、その他の実現形態の説明を省略する。
【００５９】
本発明の実施例は、ドップラーシフトによる通信速度への影響を減少するために、信号復調方法および装置を提供する。基地局から送信され、受信した無線周波数信号に対して復調する場合、ＰＭＵから提供される基準クロック信号を取得した後、さらに移動速度を特定し、移動速度に基づいてモバイル端末が基地局から送信された無線周波数信号を受信する時に発生するドップラーシフト値を特定する必要があり、再び、基準クロック信号およびドップラーシフト値に基づいて、基地局から送信され、受信した無線周波数信号に対して復調する。基地局から送信された無線周波数信号に対して復調する場合、ドップラーシフトの影響を考慮したため、復調の精度が高くなる。これにより、ドップラーシフトが存在する場合、通信速度が遅いという問題を回避する。
【００６０】
当業者にとって、本発明の実施例が方法、システム、或いはコンピュータープログラム製品として提供されることができることを理解するべきである。従って、本発明は、完全なハードウェアによる実施例、完全なソフトウェアによる実施例、或いはソフトウェアとハードウェアの組み合わせによる実施例の形態を使用することができる。また、本発明は、１つ又は複数のコンピューター使用可能プログラム・コードが記憶されたコンピューターで使用可能な記憶媒体（ディスクメモリや、ＣＤ−ＲＯＭや、光メモリ等が挙げられるが、これに限定しない）において実施できるコンピュータープログラム製品であってもよい。
【００６１】
本発明については、本発明の実施例の方法と、装置（システム）と、コンピュータープログラム製品とに基づくフローチャート及び／又はブロック図を参照して説明する。コンピュータープログラム指令で、フローチャート及び／又はブロック図における各ステップ及び／又は各ブロック、及びフローチャート及び／又はブロック図におけるステップ及び／又はブロックの組合せを実現すると理解すべきである。このようなコンピュータープログラム指令を汎用コンピューター、専用コンピューター、組込みプロセッサ、或いはその他のプログラム可能なデータ処理装置のプロセッサに提供して一つの機器を実現することができ、このようにして、コンピューター或いはその他のプログラム可能なデータ処理装置のプロセッサで実行する指令によって、フローチャートの一つ或いは複数の処理、及び／又は、ブロック図の一つ或いは複数のブロックで指定された機能を実現するための装置を生成することができる。
【００６２】
このようなコンピュータープログラム指令は、コンピューター或いはその他のプログラム可能なデータ処理装置が特定の方式で動作するように案内する、コンピューターが読み取り可能なメモリに記憶され、該コンピューターが読み取り可能なメモリに記憶されている指令によって、指令装置を含む製品を生成するようにしてもよい。該指令装置は、フローチャートの一つ或いは複数の処理、及び／又は、ブロック図の一つ或いは複数のブロックで指定された機能を実現する。
【００６３】
このようなコンピュータープログラム指令は、コンピューター、或いはその他のプログラム可能なデータ処理装置にローディングされ、コンピューター、或いはその他のプログラム可能なデバイスで一連の操作ステップを実行して、コンピューターによる処理を実現してもよい。これによって、コンピューター、或いはその他のプログラム可能な装置で実行する指令によって、フローチャートの一つ或いは複数のステップ、及び／又は、ブロック図の一つ或いは複数のブロックで指定された機能を実現するためのステップを提供する。
【００６４】
本発明の好ましい実施例を説明したが、当業者は、基本的な思想を理解すると、上記実施例に対して他の変更や補正をすることができる。そのため、添付の特許請求の範囲は、好ましい実施例及び本発明の範囲内において行う全ての変更及び補正を含むことを解釈すべきである。
【００６５】
もちろん、当業者は、本発明の主旨と範囲を逸脱しない範囲で本発明に対してさまざまな補正と変形を行うことができる。このように、本発明のこれらの補正と変形が本発明の特許請求の範囲、及びその均等な技術の範囲に属している場合、本発明はこのような補正と変形も含むことを意図する。
【００６６】
本願は、出願番号がＣＮ２０１３１０１９５５６９．３であって、出願日が２０１３年５月２３日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
モバイル端末内の電源管理ユニットＰＭＵから提供される基準クロック信号を取得するステップと、
前記モバイル端末の移動速度を特定し、前記移動速度に基づいて、前記モバイル端末が基地局から送信された無線周波数信号を受信する時に発生するドップラーシフト値を特定するステップと、
前記基準クロック信号および前記ドップラーシフト値に基づいて、受信した、前記基地局から送信された無線周波数信号に対して復調するステップと、含むことを特徴とする信号復調方法。
【請求項２】
前記モバイル端末の移動速度を特定し、前記移動速度に基づいて前記モバイル端末が基地局から送信された無線周波数信号を受信する時に発生するドップラーシフト値を特定するステップは、
前記モバイル端末の設定した２つの時点における速度ベクトルを、全地球測位システムＧＰＳにより特定するステップと、
前記設定した２つの時点の速度ベクトルの差の絶対値｜ΔＶ｜を特定するステップと、
前記設定した２つの時点の速度ベクトル方向の夾角αを特定するステップと、
ドップラーシフト値計算公式Ｆｄ＝｜ΔＶ｜×ｃｏｓα／λ（λは、無線電波波長である）に基づいて、前記モバイル端末が基地局から送信された無線周波数信号を受信する時に発生するドップラーシフト値Ｆｄを特定するステップと、を含むことを特徴とする請求項１に記載の方法。
【請求項３】
モバイル端末の移動速度を特定し、前記移動速度に基づいて前記モバイル端末が基地局から送信された無線周波数信号を受信する時に発生するドップラーシフト値を特定するステップは、
前記モバイル端末の設定した２つの時点における速度ベクトルを、全地球測位システムＧＰＳにより特定するステップと、
前記設定した２つの時点の速度ベクトルの差の絶対値｜ΔＶ｜を特定するステップと、
前記設定した２つの時点の速度ベクトル方向の夾角αを特定するステップと、
予め設定された｜ΔＶ｜およびαの取値範囲とドップラーシフト値とのマッピング関係から、特定した｜ΔＶ｜およびαに対応するドップラーシフト値を検索するステップと、を含むことを特徴とする請求項１に記載の方法。
【請求項４】
前記基準クロック信号および前記ドップラーシフト値に基づいて、受信した、前記基地局から送信された無線周波数信号に対して復調するステップは、
復調クロック信号を特定するように、前記基準クロック信号と前記ドップラーシフト値とを重ね合わせるステップと、
前記復調クロック信号に基づいて、受信した、前記基地局から送信された無線周波数信号に対して復調するステップと、を含むことを特徴とする請求項１に記載の方法。
【請求項５】
モバイル端末内の電源管理ユニットＰＭＵから提供される基準クロック信号を取得するための取得ユニットと、
前記モバイル端末の移動速度を特定し、前記移動速度に基づいて前記モバイル端末が基地局から送信された無線周波数信号を受信する時に発生するドップラーシフト値を特定するための特定ユニットと、
前記基準クロック信号および前記ドップラーシフト値に基づいて、受信した、前記基地局から送信された無線周波数信号に対して復調するための復調ユニットと、を備えることを特徴とする信号復調装置。
【請求項６】
前記特定ユニットは、
前記モバイル端末の設定した２つの時点における速度ベクトルを、全地球測位システムＧＰＳにより特定するための第１の特定モジュールと、
前記設定した２つの時点の速度ベクトルの差の絶対値｜ΔＶ｜を特定するための第２の特定モジュールと、
前記設定した２つの時点の速度ベクトル方向の夾角αを特定するための第３の特定モジュールと、
ドップラーシフト値計算公式Ｆｄ＝｜ΔＶ｜×ｃｏｓα／λ（λは、無線電波波長である）に基づいて、前記モバイル端末が基地局から送信された無線周波数信号を受信する時に発生するドップラーシフト値Ｆｄを特定するための第４の特定モジュールと、を備えることを特徴とする請求項５に記載の装置。
【請求項７】
前記特定ユニットは、
前記モバイル端末の設定した２つの時点における速度ベクトルを、全地球測位システムＧＰＳにより特定するための第１の特定モジュールと、
前記設定した２つの時点の速度ベクトルの差の絶対値｜ΔＶ｜を特定するための第２の特定モジュールと、
前記設定した２つの時点の速度ベクトル方向の夾角αを特定するための第３の特定モジュールと、
予め設定された｜ΔＶ｜およびαの取値範囲とドップラーシフト値とのマッピング関係から、特定した｜ΔＶ｜およびαに対応するドップラーシフト値を検索するための検索モジュールと、を備えることを特徴とする請求項５に記載の装置。
【請求項８】
前記復調ユニットは、
復調クロック信号を特定するように、前記基準クロック信号と前記ドップラーシフト値とを重ね合わせるための重ね合わせモジュールと、
前記復調クロック信号に基づいて、受信した、前記基地局から送信された無線周波数信号に対して復調するための復調モジュールと、を備えることを特徴とする請求項５に記載の装置。
【請求項９】
基準クロック信号を提供するための電源管理ユニットＰＭＵと、
モバイル端末の移動速度を特定し、前記移動速度に基づいて前記モバイル端末が基地局から送信された無線周波数信号を受信する時に発生するドップラーシフト値を特定し、前記ドップラーシフト値とＰＭＵから提供される基準クロック信号に基づいて、復調クロック信号を特定するための前記ＰＭＵと接続されているＣＡモジュールと、
基地局から送信された無線周波数信号および前記ＣＡモジュールで特定された復調クロック信号を取得し、前記復調クロック信号に基づいて、前記基地局から送信された無線周波数信号に対して復調するための前記ＣＡモジュールと接続されている受信器と、を備えることを特徴とする信号復調装置。
【請求項１０】
前記ＣＡモジュールは、前記基準クロック信号および前記ドップラーシフト値を重ね合わせるためのダイレクトデジタルシンセサイザーＤＤＳを備え、
前記ＣＡモジュールは、前記ドップラーシフト値および基準クロック信号に基づいて、復調クロック信号を特定する場合、ＤＤＳにより前記基準クロック信号と前記ドップラーシフト値とを重ね合わせて復調クロック信号を特定することを特徴とする請求項９に記載の装置。
【請求項１１】
前記ＧＰＳで取得された、移動速度を表現する無線周波数信号を、前記ＣＡモジュールとカップリングするためのカップリングモジュールであって、前記ＣＡモジュールと接続されているカップリングモジュールをさらに備えることを特徴とする請求項９に記載の装置。
【請求項１２】
基準クロック信号を提供するための電源管理ユニットＰＭＵと、
受信器で特定された移動速度に基づいて、モバイル端末が基地局から送信された無線周波数信号を受信する時に発生するドップラーシフト値を特定するための処理ユニットと、
モバイル端末の移動速度を特定し、前記基地局から送信された無線周波数信号、ＰＭＵで提供された基準クロック信号および前記処理ユニットで特定されたドップラーシフト値を取得し、前記基準クロック信号、および前記ドップラーシフト値に基づいて、前記基地局から送信された無線周波数信号に対して復調するための前記ＰＭＵおよび前記処理ユニットと接続されている受信器と、を備えることを特徴とする信号復調装置。
【請求項１３】
前記処理ユニットは、アプリプロセッサＡＰ、または中央処理装置ＣＰＵであることを特徴とする請求項１２に記載の装置。
【請求項１４】
プロセッサに実行されることにより、請求項１〜４のいずれかに記載の信号復調方法を実現することを特徴とするプログラム。
【請求項１５】
請求項１４に記載のプログラムが記録された記録媒体。
【国際調査報告】
2016504818.tif 000015
2016504818.tif 000016
2016504818.tif 000017
2016504818.tif 000018